(57)【特許請求の範囲】
【請求項１】
底板(11)、側板(12,12A,14)及び天板(13,13A)を連設し、一方の側板(12A)に中折板(15)を連設し、中折板(15)に押突片(16)を突設し、底板(11)に逆折片(17)を切込により設け、底板(11)、側板(12,12A,14)及び天板(13,13A)を巻き込むように折り曲げて筒体(1)を形成すると共に、中折板(15)を他方の側板(14)へ向けて折り曲げ、押突片(16)で逆折片(17)を裏面側から押し出して、逆折片(17)の抜出穴から押突片(16)を突出させることにより、逆折片(17)と押突片(16)とで、逆折片(17)の裏面に押突片(16)の端縁が当接して、逆折片(17)の揺動が抑制された支柱(2)を形成し、逆折片(17)の表面が物品の当接面となるようにした段ボール製緩衝材。
【請求項２】
前記一方の側板(12)と底板(11)との稜部に、底板(11)を切り込んで側面片(18)を設け、筒体(1)を巻込により形成する際、側面片(18)を底板(11)から下方へ突出させ、支柱(2)と側面片(18)との間に、物品を挟み込む間隔を設けた請求項１に記載の段ボール製緩衝材。
【請求項３】
前記一方の側板(12)の端部を、筒体(1)から長さ方向及び下方へ延長し、この側板(12)の端辺にガード板(20)を連設し、ガード板(20)の上端から上折板(21)を延出し、他方の側板(14)の端辺に連設された端板(19A)に対向するようにガード板(20)を折り曲げ、上折板(21)を折り曲げて天板(13A)に連設された端板(19B)に係合させることにより、ガード板(20)の揺動を抑制し、端板(19A)とガード板(20)との間に物品の起立壁を挟み込んで、ガード板(20)を物品の外面に沿わせるようにした請求項１又は２に記載の段ボール製緩衝材。
【発明の詳細な説明】
【技術分野】
【０００１】
この発明は、洗面化粧台等、天面に凹状部分を有する大型物品の輸送用梱包に適した段ボール製緩衝材に関するものである。
【背景技術】
【０００２】
洗面化粧台の梱包に使用される段ボール製緩衝材として、下記特許文献１には、図８に示すようなものが記載されている。
【０００３】
この緩衝材Ｐ３は、本体５１と補強体５２とから構成される。本体５１は、段ボールを箱状に折り曲げ、その側部に溝状凹部５３を形成し、底面に水平に突出する足片５４を設けたものとされ、補強体５２は、段ボールをコ字状に折り曲げたものとされている。このような本体５１と補強体５２とを噛み合わせて、緩衝材Ｐ３が組み立てられる。
【０００４】
この緩衝材Ｐ３を一対使用して洗面化粧台６０を梱包する際には、洗面ボウル６１の左右両側において、天板６２に足片５４を有する底面を載せ、後方に立ち上がる起立壁６３を溝状凹部５３に差し込むようにする。洗面化粧台６０の底部及び天部には、段ボール製のキャップを被せ、上下のキャップに亘りバンド掛けする。
【先行技術文献】
【特許文献】
【０００５】
【特許文献１】特許第５５１１６１７号公報
【発明の概要】
【発明が解決しようとする課題】
【０００６】
しかしながら、洗面化粧台には、洗面ボウルの左右両側に天板を有する形式のものだけでなく、洗面ボウルの側方に天板がない形式のものがあり、そのような洗面化粧台を梱包する際には、上記のような緩衝材を使用することができない。
【０００７】
このため、洗面ボウルからその側方へかけて嵌合させる段ボール製の仕切状緩衝材等が使用されるが、樹脂製洗面ボウルの場合には、傷が付きやすく、表面に傷防止用フィルムを貼り付けても、段ボールの硬い端縁が当たると、傷が付く場合がある。
【０００８】
そこで、この発明は、梱包する物品に十分な平面部分がなくても、傷付けることなく輸送できる段ボール製緩衝材を提供しようとするものである。
【課題を解決するための手段】
【０００９】
上記課題を解決するため、この発明に係る段ボール製緩衝材は、底板、側板及び天板を連設し、一方の側板に中折板を連設し、中折板に押突片を突設し、底板に逆折片を切込により設け、底板、側板及び天板を巻き込むように角筒状に折り曲げて筒体を形成すると共に、中折板を他方の側板へ向けて折り曲げ、押突片で逆折片を裏面側から押し出して、逆折片の抜出穴から押突片を突出させることにより、逆折片の裏面に押突片の端縁が当接して、逆折片の揺動が抑制された支柱を形成し、支柱の逆折片の表面が物品の当接面となるようにしたのである。
【００１０】
また、前記一方の側板と底板との稜部に、底板を切り込んで側面片を設け、筒体を巻込により形成する際、側面片を底板から下方へ突出させ、支柱と側面片との間に、物品を挟み込む間隔を設けたのである。
【００１１】
さらに、前記一方の側板の端部を、筒体から長さ方向及び下方へ延長し、この側板の端辺にガード板を連設し、ガード板の上端から上折板を延出し、筒体に設けた端板に対向するようにガード板を折り曲げ、上折板を折り曲げて筒体の端板に係合させることにより、ガード板の揺動を抑制し、端板とガード板との間に物品の起立壁を挟み込んで、ガード板を物品の外面に沿わせるようにしたのである。
【発明の効果】
【００１２】
この発明に係る段ボール製緩衝材では、押突片で逆折片の揺動が抑制された支柱を、洗面化粧台の洗面ボウルのような凹状部分に差し込んで、凹状部分の側面に支柱の逆折片の表面を当接させることにより、段ボールの硬い端縁を物品に当てることなく、支柱をしっかりと物品に沿わせることができ、物品を傷付けることがない。
【００１３】
また、側面片を底板から下方へ突出させ、支柱と側面片との間に、洗面ボウルの側壁を挟み込むと、平面をなす天板部分がなくても、洗面化粧台に固定することができる。
【００１４】
さらに、筒体の端板と側板の延長部に連設したガード板との間に洗面化粧台の後部の起立壁を挟み込んで、ガード板を洗面化粧台の後面に沿わせると、洗面化粧台への固定がより確実となるほか、洗面化粧台の角部を保護できる。
【図面の簡単な説明】
【００１５】
【図１】この発明の実施形態に係る段ボール製緩衝材のブランクを示す図
【図２】同上の組立過程を示す斜視図
【図３】同上の組立状態を上方から示す斜視図
【図４】同上の組立状態を下方から示す斜視図
【図５】同上の緩衝材を使用した洗面化粧台の梱包状態を示す斜視図
【図６】図５のVI−VI断面図
【図７】図５のVII−VII断面図
【図８】従来の緩衝材による洗面化粧台の梱包状態を示す斜視図
【発明を実施するための形態】
【００１６】
以下、この発明の実施形態を添付図面に基づいて説明する。
【００１７】
この緩衝材Ｐ１は、図１に示すような段ボールのブランクから形成される。このブランクでは、段ボールの中芯の段頂が延びる方向である段目が縦方向へ向けられている。そして、横方向に長い底板１１の一方の長辺に側板１２及び天板１３が順次連設され、底板１１の他方の長辺に側板１４、天板１３Ａ及び側板１２Ａが順次連設されている。側板１２Ａは間隔をあけて二分割され、側板１２Ａの両端には中折板１５が連設されている。
【００１８】
側板１２Ａの内側の中折板１５には、組立時に底板１１の内面に沿う端辺に押突片１６が突設されている。押突片１６の片側の端縁は傾斜し、先端角部は丸味を帯びている。
【００１９】
底板１１には、側板１２Ａの内側の端辺に対応する位置に、先細り形状の逆折片１７が切込により設けられ、そのヒンジとなる罫線１７ａは、側板１２寄りに位置し、段ボールの表面から押圧した逆罫に折曲抵抗を軽減する切目を入れたものとされている。
【００２０】
側板１２には、底板１１との境界の中央部から底板１１へのコ字状の切込により、側面片１８が突設されている。また、側板１２には、組立時に側板１２Ａの中央部に対応する位置に、先広がりの係合片１２ａが切込により設けられ、側板１２Ａの中央部には、方形状の係合穴１２ｂが穿設されている。
【００２１】
中折板１５の先端には、係合突起１５ａが突設され、側板１４には、側板１２Ａの両端辺に対応する位置に、スリット状の係合穴１４ａが穿設されている。
【００２２】
天板１３には、先端に２個の差込片１３ａが間隔をあけて突設され、天板１３Ａには、側板１４との境界に沿って、組立時に差込片１３ａに対応する位置に、２個のスリット状の差込穴１３ｂが穿設されている。
【００２３】
側板１４及び天板１３Ａの片側の端辺には、それぞれ端板１９Ａ，１９Ｂが連設され、端板１９Ａ，１９Ｂの先端には、それぞれ係合突起１９ａ，１９ｂが突設されている。
【００２４】
側板１２及び天板１３の片側の端部は、底板１１、側板１４及び天板１３Ａに対し、長さ方向へ延長され、また、側板１２の片側の端部は、組立時に下方となる底板１１の側方へ延長されて、この側板１２の端辺には、ガード板２０が連設されている。ガード板２０の組立時に上端となる端辺には、上折板２１及び折込片２２が順次連設されている。
【００２５】
側板１２のガード板２０寄りの部分には、組立時に後述の筒体１の端面となる位置に、スリット状の係合穴１２ｃが穿設され、上折板２１の折込片２２寄りの部分には、スリット状の係合穴２１ａが穿設されている。
【００２６】
このようなブランクから緩衝材Ｐ１を組み立てるには、図２に示すように、底板１１、側板１２，１４及び天板１３，１３Ａを巻き込むように折り曲げ、側板１２Ａを側板１４に対向させ、中折板１５を側板１４の方向へ折り曲げて、係合突起１５ａを係合穴１４ａに係合させる。また、端板１９Ａを中折板１５に対向する方向へ折り曲げる。
【００２７】
次に、図３及び図４に示すように、底板１１を中折板１５の端縁に沿わせ、側板１２の内面に側板１２Ａを重ね、係合片１２ａを係合穴１２ｂに押し込み、係合突起１９ａを係合穴１２ｃに係合させ、天板１３Ａの外面に天板１３を重ねて、差込片１３ａを差込穴１３ｂに差し込むことにより、角筒状の筒体１を形成する。
【００２８】
このとき、押突片１６により、逆折片１７が罫線１７ａをヒンジとして裏面側から押し出され、逆折片１７の抜出穴から押突片１６が突出し、逆折片１７の反発に伴い、逆折片１７の裏面に押突片１６の傾斜した端縁が当接して、逆折片１７の揺動が抑制された２本の支柱２が形成される。
【００２９】
その後、ガード板２０を端板１９Ａに対向する方向へ折り曲げ、上折板２１を端板１９Ａの上端に被せるように折り曲げて、折込片２２を下方へ折り曲げ、続いて、端板１９Ｂを下方へ折り曲げ、係合突起１９ｂを係合穴２１ａに係合させることにより、ガード板２０の揺動を抑制すると、組み立てが完了する。
【００３０】
このように組み立てた緩衝材Ｐ１は、図５に示すような洗面化粧台３０の梱包に使用される。洗面化粧台３０は、洗面ボウル３１の左側に天板がなく、右側に若干の天板が存在するものであり、その梱包時には、洗面ボウル３１の左側の側壁３２と後方に立ち上がる起立壁３３とを利用して緩衝材Ｐ１を固定し、洗面ボウル３１の右側の天板と起立壁３３とを利用して、別途形成した緩衝材Ｐ２を固定する。
【００３１】
この洗面化粧台３０に緩衝材Ｐ１を固定するには、図５及び図６に示すように、２本の支柱２と側面片１８との間に、洗面ボウル３１の左側の側壁３２を挟み込み、支柱２の逆折片１７の表面を洗面ボウル３１の内面をなす側壁３２の傾斜面に当接させ、同時に、図５及び図７に示すように、端板１９Ａとガード板２０の間に起立壁３３を挟み込む。
【００３２】
上記緩衝材Ｐ１によると、押突片１６で逆折片１７の揺動が抑制された支柱２を、洗面化粧台３０の洗面ボウル３１に差し込んで、側壁３２の内面に逆折片１７の表面を当接させることにより、段ボールの硬い端縁を側壁３２に当てることなく、支柱２をしっかりと側壁３２に沿わせることができ、洗面化粧台３０を傷付けることがない。
【００３３】
また、側面片１８を底板１１から下方へ突出させ、支柱２と側面片１８との間に、洗面ボウル３１の側壁３２を挟み込むので、平面をなす天板部分がなくても、洗面化粧台３０に固定することができる。
【００３４】
さらに、端板１９Ａと側板１２の延長部に連設したガード板２０との間に洗面化粧台３０の起立壁３３を挟み込んで、ガード板２０を洗面化粧台３０の後面に沿わせるので、洗面化粧台３０への固定がより確実となるほか、洗面化粧台３０の角部を衝突等による傷が付かないように保護できる。
【００３５】
なお、上記緩衝材Ｐ１では、筒体１の形成に際し、側板１２，１２Ａを重ね合わせているが、側板１２Ａを省略し、側板１２を切り込むことにより中折板１５を設けてもよい。また、天板１３，１３Ａを重ね合わせているが、そのいずれかを省略した上で、筒体１を保形できる手段を設けてもよい。
【００３６】
一方、洗面ボウル３１の右側に沿わせる緩衝材Ｐ２は、上記緩衝材Ｐ１から２本の支柱２を除去したものであり、底板１１を洗面ボウル３１の右側の天板に載せ、側面片１８を洗面化粧台３０の右側面に沿わせ、端板１９Ａとガード板２０との間に起立壁３３を挟み込んで、洗面化粧台３０に固定する。
【００３７】
そして、洗面化粧台３０の底部は、予め、段ボール製のキャップに嵌め込んでおき、緩衝材Ｐ１，Ｐ２を洗面ボウル３１の左右両側に固定した後、洗面化粧台３０の天部に段ボール製のキャップを被せ、上下のキャップに亘りバンド掛けする。
【００３８】
このように梱包すると、洗面ボウル３１の両側部分を緩衝材Ｐ１，Ｐ２により効率的に保護するので、材料の段ボールの使用量を抑制できる。また、耐圧強度に優れた梱包となるので、洗面化粧台３０を多段に積み重ねて、トラックの荷台等に積載することができ、輸送コストを削減することができる。
【符号の説明】
【００３９】
Ｐ１，Ｐ２  緩衝材
１  筒体
２  支柱
１１  底板
１２，１２Ａ  側板
１２ａ  係合片
１２ｂ，１２ｃ  係合穴
１３，１３Ａ  天板
１３ａ  差込片
１３ｂ  差込穴
１４  側板
１４ａ  係合穴
１５  中折板
１５ａ  係合突起
１６  押突片
１７  逆折片
１７ａ  罫線
１８  側面片
１９Ａ，１９Ｂ  端板
１９ａ，１９ｂ  係合突起
２０  ガード板
２１  上折板
２１ａ  係合穴
２２  折込片
３０  洗面化粧台
３１  洗面ボウル
３２  側壁
３３  起立壁
【図１】
0006494412.tif 000002
【図２】
0006494412.tif 000003
【図３】
0006494412.tif 000004
【図４】
0006494412.tif 000005
【図５】
0006494412.tif 000006
【図６】
0006494412.tif 000007
【図７】
0006494412.tif 000008
【図８】
0006494412.tif 000009